(57)【要約】　　　（修正有）【課題】浮き床板上に固定部を突出させない固定工法及び支持装置を提供する。【解決手段】浮き床板５０の側面に側面凹溝５１を形成する。支持装置は、屋上面Ｒに載置される基台１０と、該基台１０上に形成される浮き床板５０の支持部と、支持部に対して固定ネジ杆を介して下動する押え板とを具備する。また、支持部には支持板を形成し、該支持板の上面には、浮き床板５０の側面に当接する案内柱３２を立設する。そして、側面凹溝５１に押え板を係合させる。【選択図】図２
2004100445.tif 000002
【特許請求の範囲】
【請求項１】
屋上面Ｒに載置される基台１０と、該基台１０上に形成される支持部３０と、該支持部３０に対してネジ杆４１を介して下動する押え板４４と、上記支持部３０に支持板３１を形成し、該支持板３１の上面には、浮き床板５０の側面に当接する案内柱３２を立設する建物屋上における浮き床板支持装置であって、基台１０は、全体として平面形状円形に形成され、最下部の屋上載置部１１、該屋上載置部１１上に形成される立上り筒部１１ａ、該立上り筒部１１ａの内壁に螺合される下調整ネジ筒１３、及び、該下調整ネジ筒１３の内壁空洞部に螺合される上調整ネジ筒１４とからなり、下調整ネジ筒１３の上辺部には外環筒部１３ａが形成されると共に回転によって下調整ネジ筒１３が上下に移動可能に嵌合され、更に、下調整ネジ筒１３の内部の空洞部１５に上調整ネジ筒１４が上下に移動可能に螺合されており、上記上調整ネジ筒１４の上端には受け台面１６が形成され、上調整ネジ筒１４の中心部は空洞部１５となっており、前記受け台面１６の中心部には挿通孔１７が形成されていると共に、前記受け台面１６の下面において、前記挿通孔１７壁の下端と前記空洞部１５壁の上方とが交差する部分は角部が形成され、
上記支持部３０を構成する支持板３１には、その中心部にネジ杆挿通孔３３が穿設され、かつ、この支持板３１の下面には、複数本の弾性脚３４が一体的に形成され、該各弾性脚３４の下端部にはそれぞれ係止部３５が形成されていると共に、前記弾性脚３４は、前記基台１０の挿通孔１７に挿入が可能であり、更に、固定部４０はネジ頭４２を有するネジ杆４１を具備し、上記ネジ頭４２の直下部には押え板４４が遊嵌され、該押え板４４が下方に落ちないように柔軟性の合成樹脂からなる押え板支持パイプ４５がネジ杆４１のネジ部に嵌合されており、前記ネジ杆４１の下端付近には、開き具４３が螺合され、該開き具４３は、縦断面略Ｕ字形の椀形に形成され、ネジ杆４１を回転させることによって開き具４３は上下動するように配置されており、
前記ネジ杆４１の中心部には、ネジ杆支持パイプ４６が配置され、該固定ネジ杆支持パイプ４６は、弾性体で形成されてネジ杆４１に弾着され、固定部４０全体が受け面１６の下方に向かって沈み込まないように配置され、
上記ネジ頭４２の回転により、ネジ杆４１を回転させ、開き具４３を上動させることによって、弾性脚３４を外側に開かせ、この外側への拡大によって、係止部３５は係合角部１９に係合し、固定部４０は基台１０に固定されることを特徴とする建物屋上における浮き床板の支持装置。
【発明の詳細な説明】
【０００１】
【発明の属する技術分野】
本発明は、ビル等の建物屋上に一定の高さのすき間を空けて敷設する浮き床板の支持装置に関する。
【０００２】
【従来の技術】
最近、建物特にオフィスビルの屋上には、浮き床板が敷設されることが多い。このための従来の浮き床板敷設工法は、図１１に示すように、屋上面Ｒ上に、一定間隔毎に配置された支持体１…の上に浮き床板２を配置するが、浮き床板２の固定には、浮き床板２を上面から押圧する押え板３・・が用いられる。そして、該押え板３は、金属製の方形状の板体でナット状の固定具４により支持体１に固定される。しかしながら、このような従来技術によれば、浮き床板２の上に固定具４が突出することになるから、意匠上好ましいものではなく、また、この上を人が歩いた時に、これが障害になるという不具合もある。
【０００３】
【発明が解決しようとする課題】
したがって、本発明の課題は、上記従来技術の不具合を解消することにあり、押え板を浮き床板上面に露出させるのではなくて、浮き床板の中途部側面に側面凹溝を設けることによって浮き床板を取付・固定することで、浮き床板上に固定部を突出させないようにし、更に、浮き床板の受け台面１６の高さを自由自在に調整できるものである。
【０００４】
【課題を解決するための手段】
上記課題を達成するために、
請求項１記載の建物屋上における浮き床板支持装置は、屋上面Ｒに載置される基台１０と、該基台１０上に形成される支持部３０と、該支持部３０に対してネジ杆４１を介して下動する押え板４４と、上記支持部３０に支持板３１を形成し、該支持板３１の上面には、浮き床板５０の側面に当接する案内柱３２を立設する建物屋上における浮き床板支持装置であって、基台１０は、全体として平面形状円形に形成され、最下部の屋上載置部１１、該屋上載置部１１上に形成される立上り筒部１１ａ、該立上り筒部１１ａの内壁に螺合される下調整ネジ筒１３、及び、該下調整ネジ筒１３の内壁空洞部に螺合される上調整ネジ筒１４とからなり、下調整ネジ筒１３の上辺部には外環筒部１３ａが形成されると共に回転によって下調整ネジ筒１３が上下に移動可能に嵌合され、更に、下調整ネジ筒１３の内部の空洞部１５に上調整ネジ筒１４が上下に移動可能に螺合されており、上記上調整ネジ筒１４の上端には受け台面１６が形成され、上調整ネジ筒１４の中心部は空洞部１５となっており、前記受け台面１６の中心部には挿通孔１７が形成されていると共に、前記受け台面１６の下面において、前記挿通孔１７壁の下端と前記空洞部１５壁の上方とが交差する部分は角部が形成され、上記支持部３０を構成する支持板３１には、その中心部にネジ杆挿通孔３３が穿設され、かつ、この支持板３１の下面には、複数本の弾性脚３４が一体的に形成され、該各弾性脚３４の下端部にはそれぞれ係止部３５が形成されていると共に、前記弾性脚３４は、前記基台１０の挿通孔１７に挿入が可能であり、更に、固定部４０はネジ頭４２を有するネジ杆４１を具備し、上記ネジ頭４２の直下部には押え板４４が遊嵌され、該押え板４４が下方に落ちないように柔軟性の合成樹脂からなる押え板支持パイプ４５がネジ杆４１のネジ部に嵌合されており、前記ネジ杆４１の下端付近には、開き具４３が螺合され、該開き具４３は、縦断面略Ｕ字形の椀形に形成され、ネジ杆４１を回転させることによって開き具４３は上下動するように配置されており、前記ネジ杆４１の中心部には、ネジ杆支持パイプ４６が配置され、該固定ネジ杆支持パイプ４６は、弾性体で形成されてネジ杆４１に弾着され、固定部４０全体が受け面１６の下方に向かって沈み込まないように配置され、上記ネジ頭４２の回転により、ネジ杆４１を回転させ、開き具４３を上動させることによって、弾性脚３４を外側に開かせ、この外側への拡大によって、係止部３５は係合角部１９に係合し、固定部４０は基台１０に固定されることを特徴とする。
【０００５】
【発明の実施の態様】
以下、本発明に係る実施例の建物屋上における浮き床板の支持装置Ａについて説明する。
図１，２は、本発明に係る実施例の支持装置Ａを示しており、上下に伸縮自在の基台１０上に案内板２０が載置されると共に、基台１０上に同様に載置される支持部３０を介して固定部４０が取り付けられ、この固定部４０に設けられた押え板４４により、浮き床板５０の側面凹溝５１を下方に向けて固定するものである。
【０００６】
先ず、基台１０について説明する。基台１０は、全体として平面形状円形に形成され、最下部の屋上載置部１１、屋上載置部１１上に形成された立上り筒部１１ａ、該立上り筒部１１ａの内壁に螺合される下調整ネジ筒１３、及び、該下調整ネジ筒１３の内壁空洞部に螺合される上調整ネジ筒１４とからなる。また、屋上載置部１１の外周には大ビス挿通孔１２ａと、小ビス挿通孔１２ｂが交互に四個ずつ穿設されている。
【０００７】
即ち、屋上載置部１１の中央部に立上り筒部１１ａが形成され、該立上り筒部１１ａの外周に載置部ラグ１８・・が、大ビス挿通孔１２ａと小ビス挿通孔１２ｂの位置に対応して形成されている。そして、この立上り筒部１１ａの内壁に下調整ネジ筒１３のネジ部が螺合され、回転によって下調整ネジ筒１３が上下に移動可能に嵌合されている。また、下調整ネジ筒１３の上辺部には外環筒部１３ａが形成され、その外周部には複数個の孔部が等間隔で穿設されている。また、下調整ネジ筒１３の内部の空洞部１５に、上調整ネジ筒１４が同様に上下に回転させると上下に移動可能に螺合されている。この上調整ネジ筒１４の上端には受け台面１６が形成され、上調整ネジ筒１４の中心部は空洞部１５となっており、受け台面１６の中心部には挿通孔１７が形成されている。そして、受け台面１６の下面において、前記挿通孔１７壁の下端と空洞部１５壁の上方とが交差する部分は、角部が形成されてこれが後述の開き具４３の係合角部１９となっている。
【０００８】
上記構成によって、上記基台１０は大ビス挿通孔１２ａを用いて屋上面Ｒにビス、接着剤等で固定される。また、浮き床板５０の敷設高さに対応するために、下調整ネジ筒１３及び上調整ネジ筒１４を回転させて、受け台面１６の高さを自由自在に調整できるものである。
【０００９】
次に、図１（Ｂ）及び図４に示される案内板２０について説明する。該案内板２０は円盤状に形成され、その下部面には環状に嵌合凹部２１が形成される。この嵌合凹部２１は、水平断面において前述の受け台面１６より僅かに大きく形成され、受け台面１６に載置・嵌合されるものである。しかも、この案内板２０の中心には嵌合円孔２２が形成され、該嵌合円孔２２には後述の支持部３０の支持板３１が嵌合されることになる。また、この案内板２０の外周には、図４に示すように四箇所に等間隔で突出部２３が形成され、該突出部２３の中心部には小孔２４が穿設されている。この小孔２４の径は、前記大ビス挿通孔１２ａに形成されている孔と同径である。
【００１０】
次に、図１（Ｃ）及び図５，６に示される支持部３０について説明する。該支持部３０は、円盤状薄板からなる支持板３１の上に、放射状に４本の案内柱３２・・・が一体に形成されている。該案内柱３２の形状は水平断面王字型で、この各案内柱３２により、浮き床板５０・・を間隔を空けて敷設する。つまり、９０度の角度で隣接する案内柱３２，３２間に浮き床板５０のコーナー部を配置することになる。
【００１１】
そして、該支持板３１には、その中心部にネジ杆挿通孔３３が穿設され、かつ、この支持板３１の下面には、図１（Ｃ）に示されるように、４本の弾性脚３４・・・が一体的に形成され、該各弾性脚３４の下端部にはそれぞれ係止部３５が形成されている。前記弾性脚３４・・・は、前述の基台１０の挿通孔１７に挿入が可能であるように配置されている。しかも、この支持板３１の外周の一部には切欠き３６が形成され、この切欠き３６をもって前記基台１０側から持ち上げることが容易なように形成されている。
【００１２】
次に固定部４０について説明する。図１（Ｃ）及び図７に示されるように、固定部４０は、上下に長くネジ頭４２を有するネジ杆４１、開き具４３、押え板４４、押え板支持パイプ４５及びネジ杆支持パイプ４６からなる。即ち、上下に長いネジ杆４１の上端にはネジ頭４２が形成されていると同時に、そのネジ頭４２の直下部には押え板４４が遊嵌されている。押え板４４は、図５に示されるように平面形略正方形状で、若干上方に彎曲して形成されている。また、この押え板４４が下方に落ちないように柔軟性の合成樹脂からなる押え板支持パイプ４５がネジ杆４１のネジ部に嵌合されている。
【００１３】
また、このネジ杆４１の下端付近には、開き具４３が螺合されている。この開き具４３は、縦断面略Ｕ字形の椀形に形成され、ネジ杆４１を回転させることによって開き具４３は上下動するように螺合されている。また、このネジ杆４１の中心部には、ネジ杆支持パイプ４６が配置されており、該固定ネジ杆支持パイプ４６は、弾性体で形成されてネジ杆４１に弾着しており、固定部４０全体が受け面１６の下方に向かって沈み込まないように配置されているものであり、換言すれば、押え板４４が支持板３１から一定の間隔で保持される役割を果たすものである。
【００１４】
本発明に使用する浮き床板５０は、コンクリート、プラスチック等を素材とする押出し成形品や形材、ウッドパネル等からなり、その一対の相対する側面には前記押え板４４が嵌挿される側面凹溝５１がその長さ方向に沿って形成されている。これは図８に示されている。
【００１５】
本実施例において、浮き床板５０をビルの屋上面に並べて付設するには、図１０に示すように、次々と連続的に配置される浮き床板５０の角部位置に、この支持装置Ａを配置する。即ち、各浮き床板５０の角部に相当する位置に、支持装置Ａを配置し、基台１０の小ビス挿通孔１２ｂを介して屋上面に固定される。支持装置Ａの固定と併せて、適宜下調整ネジ筒１３及び上調整ネジ筒１４を回転させて受け台面１６の高さを調整し、配置されている浮き床板５０の側面に押え板４４を係合させ、案内柱３２により浮き床板５０相互の間隔を確保して四枚の浮き床板５０の角部を揃えた上（図６参照）、ネジ頭４２にドライバーを指し込んで回転させることによって浮き床板５０を固定するものである。
【００１６】
即ち、このネジ頭４２の回転により、ネジ杆４１を回転させ、開き具４３を上動させることによって、弾性脚３４を図１に示すように外側に開かせる。この外側への拡大によって、係止部３５・・・は係合角部１９に係合し、固定部４０は基台１０に固定されることになる。換言すれば、ネジ頭４２の回転によって、固定部４０を基台１０に固定すると同時に、浮き床板５０も基台１０に固定することになる。
【００１７】
本実施例によれば、この構成により、押え板４４は従来のように浮き床板５０の上面に突出することはないから、敷設・固定後の浮き床板５０上に、突出物はなく歩行も容易となる。また、支持装置Ａは、下調整ネジ筒１３及び上調整ネジ筒１４によって、上下に大きく受け台面１６の位置を調整できるから、汎用性の広いものとなる。また、各浮き床板５０の角部は支持板３１に直接支持されるのではなくて、案内柱３０を介して基台１０に支持されることになるから、比較的狭い範囲で支持されることになり、敷設後の浮き床板５０・・のガタつきも少なくすることができる。
【００１８】
また、図４に示されるように、案内板２０の外周には四個の小孔を設けたが、この小孔と基台１０に形成されている大ビス挿通孔１２ａとを一本のボルトによってそれぞれ連繋させることによって、設置後の案内板２０を固定することができ、設置後の受け台面１６の上下遊動を止めることができる。なお、本発明装置は、基本的には図８に示す側面凹溝５１に押え板４４を係合させて固定するものであるが、従来のように浮き床板の上面に当接させて固定することも可能である。また、上記特許請求の範囲の記載において、実施例との対応関係を明りょうにするために図面符号を付したが、本発明をこれに限定されるものではない。
【００１９】
【発明の効果】
本発明は、上記構成により、建物の屋上面から離して浮き床板を敷設するに当たって、浮き床板の側面に側面凹溝を形成し、該側面凹溝に浮き床板支持装置の浮き床板押え板を係合させることで、敷設後の浮き床板上に浮き床板支持装置の一部が突出しないことから、歩行しやすく、意匠上も好ましい。また、屋上面に載置される基台と、該基台上に形成される浮き床板の支持部と、該支持部に対してネジ杆を介して下動する押え板とを具備させることで、単にネジ杆を回転させるだけで、浮き床板を固定できる。また、上記支持部に支持板を形成し、該支持板の上面には、浮き床板の側面に当接する案内柱を立設することで、取付作業が容易で且つ雨水の排水が円滑であり、更に、取り付け後のガタを少なくすることができる。また、浮き床板の敷設高さに対応するために、下調整ネジ筒及び上調整ネジ筒を回転させて、受け台面の高さを自由自在に調整できるものであり、上下に大きく受け台面１６の位置を調整できるから、汎用性の広いものとなる。
また、各浮き床板の角部は支持板に直接支持されるのではなくて、支持部を介して基台に支持されることになるから、比較的狭い範囲で支持されることになり、敷設後の浮き床板のガタつきも少なくすることができる。
【図面の簡単な説明】
【図１】本発明に係る実施例の分解正面図（Ａ），（Ｂ），（Ｃ）。
【図２】同実施例の正面図。
【図３】同実施例の基台の平面図。
【図４】同実施例の案内板の平面図。
【図５】同実施例の支持部の平面図。
【図６】同実施例の支持板の平面図。
【図７】同実施例の固定具の正面図。
【図８】同実施例の浮き床板の斜視図。
【図９】同実施例の使用状態を示す説明図。
【図１０】同実施例の使用状態を示す平面図。
【図１１】従来技術を示す説明図。
【符号の説明】
Ａ・・・支持装置　Ｒ・・・屋上面　１・・・支持体（従来）
２・・・浮き床板（従来）　３・・・押え板（従来）　４・・・固定具（従来）
１０・・基台　１１・・屋上載置部　１１ａ・・立上り筒部
１２ａ・・大ビス挿通孔　１２ｂ・・小ビス挿通孔
１３・・下調整ネジ筒　１３ａ・・外環筒部　１４・・上調整ネジ筒
１５・・空洞部　１６・・受け台面　１７・・挿通孔
１８・・載置部ラグ　１９・・係合角部　２０・・案内板　２１・・嵌合凹部
２２・・嵌合円孔　２３・・突出部　２４・・小孔　３０・・支持部
３１・・支持板　３２・・案内柱　３３・・ネジ杆挿通孔　３４・・弾性脚
３５・・係止部　３６・・切欠き　４０・・固定部　４１・・ネジ杆
４２・・ネジ頭　４３・・開き具　４４・・押え板　４５・・押え板支持パイプ
４６・・ネジ杆支持パイプ　５０・・浮き床板　５１・・側面凹溝
【図１】
2004100445.tif 000003
【図２】
2004100445.tif 000004
【図３】
2004100445.tif 000005
【図４】
2004100445.tif 000006
【図５】
2004100445.tif 000007
【図６】
2004100445.tif 000008
【図７】
2004100445.tif 000009
【図８】
2004100445.tif 000010
【図９】
2004100445.tif 000011
【図１０】
2004100445.tif 000012
【図１１】
2004100445.tif 000013